(57)【要約】      （修正有）【課題】風景画像等の実写画像において、実像に近い迫力を持った立体視が可能な３Ｄポストカードを提供する。【解決手段】ステレオ画像１１ａ、１１ｂを備えた長方形の３Ｄポストカード１０とする。上述の長方形の長辺方向Ｙに連なる画像部１１と、該画像部１１に隣接する中央部１３と、該中央部１３に隣接する双眼ルーペ部１５とを備えている。また、画像部１１は、複数の頁からなる冊子であり、冊子の少なくとも一つの見開きの二頁のうち、中央部に隣り合う側の頁にステレオ画像１１ａ、１１ｂが配置され、さらに中央部１３に重なる側の頁にはステレオ画像のガイド１２が配置されている。また、中央部１３は、長辺方向の幅Ｙ１がステレオ画像１１ａ、１１ｂを立体視するための視認距離である。また、双眼ルーペ部１５は、ステレオ画像を視認させる右目用凸レンズ１５ａと左目用凸レンズ１５ｂとが所定の間隔を持って配置されている。【選択図】図１
0003170754.tif 000002
【実用新案登録請求の範囲】
【請求項１】
立体視ができる画像を備えた長方形の３Ｄポストカードであって、
前記長方形の長辺方向に連なる画像部と、前記画像部に隣接する中央部と、前記中央部に隣接する双眼ルーペ部とを備え、
前記画像部は、前記中央部に隣接する側の前記長方形の短辺部分に閉じ部を有し、かつ前記長辺方向に頁が展開する、複数の頁からなる冊子であり、前記冊子の少なくとも一つの見開きの二頁のうち、前記中央部に隣り合う側の頁に前記立体視ができる画像が配置され、さらに前記中央部に重なる側の頁には前記立体視ができる画像のガイドが配置されており、
前記中央部は、前記立体視ができる画像を立体視するための視認距離である前記長辺方向の幅を有し、
前記双眼ルーペ部は、前記立体視できる画像を視認させる右目用凸レンズと左目用凸レンズとが所定の間隔を持って配置されている
ことを特徴とする３Ｄポストカード。
【請求項２】
前記長方形の大きさは、大判の私製はがきの規格内であることを特徴とする請求項１に記載の３Ｄポストカード。
【請求項３】
前記画像部は、前記冊子の少なくとも一頁に広告が掲載されていることを特徴とする請求項１または請求項２に記載の３Ｄポストカード。
【請求項４】
前記立体視ができる画像は、右目用画像と、該右目用画像に対し視差を伴う左目用画像との二つの画像が並置されたステレオ画像であることを特徴とする請求項１から請求項３のいずれか１項に記載の３Ｄポストカード。
【請求項５】
前記ステレオ画像は、空中から俯瞰で撮影した風景画像であることを特徴とする請求項４に記載の３Ｄポストカード。
【請求項６】
前記中央部の前記長辺方向の幅が７５±５ｍｍの範囲内であるとき、前記右目用画像及び左目用画像は、それぞれ幅５０ｍｍ高さ６５ｍｍであり、前記双眼ルーペ部の右目用凸レンズ及び左目用凸レンズは、前記右目用画像及び左目用画像に対する焦点距離が前記長辺方向の幅と同一である
ことを特徴とする請求項４または請求項５に記載の３Ｄポストカード。
【請求項７】
前記３Ｄポストカードは、当該３Ｄポストカードが収まる大きさの透明な収納袋であって、店頭陳列用の袋兼郵送用の封筒である収納袋をさらに備えた
ことを特徴とする請求項１から請求項６のいずれか１項に記載の３Ｄポストカード。
【請求項８】
前記収納袋は、前記郵送用の封筒であり、前記３Ｄポストカードが収納済みの前記封筒におけるフラップ部分と、前記右目用凸レンズ及び前記左目用凸レンズとを覆う位置に張る、郵送用の宛名書シールをさらに備えたことを特徴とする請求項７に記載の３Ｄポストカード。
【考案の詳細な説明】
【技術分野】
【０００１】
本考案は、立体視ができる画像を備えた３Ｄ（ｔｈｒｅｅ−ｄｉｍｅｎｓｉｏｎａｌ  またはｔｈｒｅｅ−ｄｉｍｅｎｓｉｏｎｓ；立体）ポストカードに関する。
【背景技術】
【０００２】
立体視ができる画像（以下、立体画像ともいう）を備えた３Ｄポストカードは、視覚的な楽しさや驚きがあることにより、人気のある商品となっている。立体視を生み出す画像には様々な原理を利用したものがあり、ポストカードに添付される立体視ができる画像としては、一般的に以下のようなものが知られている。
たとえば、立体画像として、ホログラム画像は大変よく知られている。ホログラム画像は、一般的にレーザー光線を使用してプリントする画像であり、通常の写真や印刷では再現できない独特の輝きを持つ。また、ホログラム画像は、視認者の訓練を要することもなく、そのままの状態で立体視が可能であるという利点がある。そのため、ポストカード用の画像として適しているが、実写画像を実像に近い画像として立体視できるものではない。
また、立体画像として、いわゆるステレオ画像を用いることも考えられる。ステレオ画像は、視差を伴う二つの画像（右目用の画像と左目用の画像）を並置したものである。視認者は、上述の右目用の画像を右目で確認し、同時に左目用の画像を左目で確認する。このとき、視差を伴う二つの画像を視認者が脳で合成するため、一つの立体画像として視認することができる。ステレオ画像は平行法または交差法と呼ばれる方法を用いて、実像に近い感覚を伴って裸眼で立体視を行うことができるが、裸眼での視認にはある程度の訓練やガイドマーク等を必要とし、また、見えるようになるまでの時間には個人差があった。
そのほかに、余色視を利用したいわゆるアナグラフ画像を用いることも考えられる。アナグラフ画像は、左目用の画像と右目用の画像とを、一枚の画像上にそれぞれ赤または青で描かれたものであり、いわゆる赤青メガネを用いて視認する。赤青メガネとは、左右の色が異なるフィルターで構成される、形状がメガネ様の補助視認具である。アナグラフ画像はこの補助視認具を使用するだけで容易に立体視が可能であるという利点がある。しかし、近距離での視認においては、鮮明な立体視ができる画像が得にくく、像が二重に見える状態（クロストーク）が起こりやすい。
【先行技術文献】
【特許文献】
【０００３】
【特許文献１】特開２００４−８４５５号公報
【考案の概要】
【考案が解決しようとする課題】
【０００４】
従来の立体視ができる画像は、いずれも一長一短がある。本考案の３Ｄポストカードは、特に、風景画像等の実写画像において、実像に近い迫力を持った立体視が可能な３Ｄポストカードを提供するものとする。また、上述のような画像において、近距離からでも臨場感にあふれた迫力のある立体視を行うことが可能であり、その上視認者の訓練を必要とせず、鮮明な立体画像の視認を容易に行うことができる３Ｄポストカードを得ることを目的とする。
【課題を解決するための手段】
【０００５】
上述した目的を達成するために、本考案による３Ｄポストカードは、以下に示す構成としたことを特徴としている。
（構成１）
基本的には、立体視ができる画像を備えた長方形の３Ｄポストカードであるものとする。
また、上述の長方形の長辺方向に連なる画像部と、画像部に隣接する中央部と、中央部に隣接する双眼ルーペ部とを備えている。また、画像部、中央部、双眼ルーペ部においては、以下のように構成したことを特徴としている。
１．画像部は、中央部に隣接する側の長辺方向の短辺部分に閉じ部を有し、かつ上述の長辺方向に頁が展開する、複数の頁からなる冊子であり、冊子の少なくとも一つの見開きの二頁のうち、中央部に隣り合う側の頁に立体視ができる画像が配置され、さらに中央部に重なる側の頁には立体視ができる画像のガイドが配置されている。
２．中央部は、立体視ができる画像を立体視するための視認距離である長辺方向の幅を有する。
３．双眼ルーペ部は、立体視できる画像を視認させる右目用凸レンズと左目用凸レンズとが所定の間隔を持って配置されている。
【０００６】
上述の１のように画像部を構成すると、まず初めに、画像部は冊子の形態をとっているため、立体視ができる画像（立体画像）を少なくとも一枚、あるいは複数枚添付することができる。
また、ガイドとは、立体画像についての案内図や案内文のことを指す。たとえば、立体画像が風景画像である場合、冊子の見開きの二頁のうち、立体画像は中央部に隣接する側の頁に配置される。そのとき、もう一方の頁に、立体画像の目立つ建物や施設等を図示し、建物名や施設名等を示すことができる。また、建物名等と共に、それらに対する案内文を載せることもできる。
【０００７】
また、上述の２のように中央部を構成してあるので、中央部の長辺方向の幅は、立体画像の視認距離として設定することができる。
また、上述の３のように双眼ルーペ部を構成することにより、立体画像の視認を補助し、その上、視認者に対し、立体画像を鮮明に視認させることができる。このため、視認者の訓練を要することなく、鮮明で、臨場感を持った迫力のある立体画像を立体視することができる。
【０００８】
上述の立体視は、中央部の面に対し双眼ルーペ部及び画像部を垂直に立て、視認者が双眼ルーペ部を通して立体画像を視認することにより行う。
既に述べてあるように、３Ｄポストカードの長辺方向に連なる画像部と、画像部に隣接する中央部と、中央部に隣接する双眼ルーペ部とを一体化させて備えているため、中央部に対してその両側の画像部及び双眼ルーペ部を折り曲げるだけで、簡単に立体画像の立体視を行うことができる。
【０００９】
（構成２）
構成１のとき、長方形の大きさは、大判の私製はがきの規格内であるようにすることができる。大判の私製はがきの規格は、２３５ｍｍ×１２０ｍｍまでとなっている。
【００１０】
（構成３）
構成１のとき、画像部は、冊子の少なくとも一頁に広告が掲載されている。このように構成したことにより、３Ｄポストカードには、立体画像だけでなく、広告用の画像を挿入することもできる。さらに、その広告自体を立体画像とすることもでき、視認者に強い印象を与えられるため、広告に対する効果も期待できる。
【００１１】
（構成４）
立体視ができる画像は、右目用画像と、この右目用画像に対し視差を伴う左目用画像との二つの画像が並置されたステレオ画像であるものとする。この場合、上述の立体視は、視認者の右目で右目用凸レンズを通して右目用画像を視認し、同時に左目で左目用凸レンズを通して左目用画像を視認することにより行う。
上述のステレオ画像を立体視すると、実像に近い鮮明な画像を視認することができるが、これを構成１の３Ｄポストカードに適用することにより、裸眼により立体視を行う場合と比較して、遥かに容易に立体画像を視認することができる。また、双眼ルーペによって立体画像を視認するため、本来の画像の大きさよりも大きな、拡大画像を立体視することができる。
このため、画像が風景画像等である場合は、迫力のある、臨場感にあふれた立体画像を視認することができる。
【００１２】
（構成５）
構成４のとき、ステレオ画像は、空中から俯瞰で撮影した風景画像であるものとする。例えば、地上数十ｍから百数十ｍの地点で、ヘリコプター等を用いた空撮を行う。このように、高度を有する地点から実際に撮影した画像を用いることにより、なお一層迫力のある立体画像を得ることができる。一例として、展望施設から見下ろせる風景画像を地上からの高度が同様の地点から撮影した場合、視認者が立体視する際に、展望台から風景を実際に見ているかのような臨場感を得ることができる。
【００１３】
（構成６）
構成または構成５のとき、中央部の上述した長辺方向の幅が７５±５ｍｍの範囲内である場合、右目用画像及び左目用画像は、それぞれ高さ５０ｍｍ幅６５ｍｍであり、双眼ルーペ部の右目用凸レンズ及び左目用凸レンズは、右目用画像及び左目用画像に対する焦点距離が上述の長辺方向の幅と同一である。
以上のようなサイズに決定すると、上述の二つの凸レンズの焦点距離となる位置に右目用画像及び左目用画像（立体画像）が配置されることになるため、二つの画像が視認者の脳で合成されることとなり、視認者の視野の中で別々の画像が視認されることなく、一つの鮮明な立体画像として視認することができる。また、その際に視認される立体画像の大きさは、右目用画像及び左目用画像のそれぞれとほぼ同等の大きさである。
したがって、鮮明で、臨場感にあふれた迫力のある立体視が最適化された３Ｄポストカードを得ることができる。
【００１４】
（構成７）
３Ｄポストカードが収まる大きさを有する透明の収納袋をさらに備えるものとする。この収納袋は、店頭陳列用の袋兼郵送用の封筒として使用可能である。透明の収納袋として、たとえばＰＰ（ｐｏｌｙｐｒｏｐｙｌｅｎｅ；ポリプロピレン）等が好適な材料であると考えられる。
３Ｄポストカードを透明な収納袋に入れて、長方形の展開した形状のまま商品として店頭に陳列したり、収納袋を封筒として用いて郵送したりすると、３Ｄポストカードがそのままの状態で見えているため、消費者が商品としての機能を瞬時に判断しやすく、また、見た者に強い印象を与えることが期待できる。したがって、消費者の購入意欲を促進させたり、ポストカードを受け取る側に対し驚きや感動を与えたりする可能性が期待できる。
【００１５】
（構成８）
構成７のとき、上述の収納袋が郵送用の封筒であれば、３Ｄポストカードが収納済みの封筒のフラップ部分と、右目用凸レンズ及び左目用凸レンズとを覆う位置に張る、郵送用の宛名書シールをさらに備えるものとする。
フラップ部分とは、封筒の封をするフタ部分に相当する。すなわち、双眼ルーペ部の二つの凸レンズと、収納袋のフラップ部分とのどちらも覆うことができるように、上述の宛名書シールを張るようにする。３Ｄカードを収納袋に入れる際に、画像部から先に入れると、双眼ルーペ部の二つの凸レンズが収納袋のフラップ部分付近に収納されることになるため、たとえば３Ｄカードが上述の構成４の大きさであるとき、収納袋の縦と横が１ｃｍ程度余裕を持てる大きさとすると、宛名書シールの大きさが１０ｃｍ×１０ｃｍ程度の好適な大きさを有するものであれば、上述の位置を覆うように張ることができる。
このため、封筒のフラップ部分や上述の二つの凸レンズを保護することができ、郵送中のレンズの欠損やフラップ部分のはがれ等を防ぐことができる。
【考案の効果】
【００１６】
本考案の３Ｄポストカードは、風景画像等の実写画像において、実像に近い迫力を持った立体視が可能であり、さらに、近距離からでも臨場感にあふれた迫力のある立体視を行うことが可能である。また、視認者の訓練を必要とせず、鮮明な立体画像の視認を容易に行うことができる３Ｄポストカードを得ることができる。
【図面の簡単な説明】
【００１７】
【図１】図１の（ａ）、（ｂ）は、本考案の３Ｄポストカードの基本的な構成を説明するための概略図である。
【図２】図２は、画像部の構成を説明するための概略図である。
【図３】図３の（ａ）、（ｂ）は、実施の形態の双眼ルーペ部の構成を説明するための概略図である。
【図４】図４は、本考案の３Ｄポストカードを用いて立体視する際の形状を説明するための側面図である。
【図５】図５の（ａ）、（ｂ）は、本考案の３Ｄポストカードにさらに備えられた、収納袋の使用例についての説明図である。
【考案を実施するための形態】
【００１８】
以下、本考案を実施するための形態を図示例と共に説明する。図１は、実施の形態の３Ｄポストカード１０の基本的な構成を説明するための概略図である。このうち、図１（ａ）は３Ｄポストカード１０を長方形に展開したときの構成図、図１（ｂ）は３Ｄポストカード１０の基本的な構成図である。
また、図２は３Ｄポストカード１０の画像部における説明図であり、図３は同様に双眼ルーペ部における説明図である。また、図４は３Ｄポストカード１０を用いて立体視する際の形状の説明図である。図５は、３Ｄポストカードにさらに備えられた、収納袋の使用例についての説明図である。
【００１９】
図１において、１０は実施の形態の３Ｄポストカードである。３Ｄポストカード１０は、基本的には、後述する立体視ができる画像（以下、立体画像）を備えた長方形のカードであり、この実施の形態では、大判の私製はがきの規格内の大きさとした。大判の私製はがきの規格は、２３５ｍｍ×１２０ｍｍまでとなっている。３Ｄポストカード１０は、後述するように折り曲げて使用する形となるため、柔軟性のある材料で構成するのが良い。一例として、コート紙（菊判で連量１３５ｋｇ程度の厚さ）等は好適な素材である。
１１は画像部、１３は中央部、１５は双眼ルーペ部であり、これらは上述の長方形の長辺方向Ｙに順次連なるように備えられている（図１の（ａ））。ここでは、中央部１３の長辺方向の幅Ｙ１が７５±５ｍｍの範囲内であり、画像部１１の長辺方向の幅Ｙ２は７７±１ｍｍの範囲内であるものとした。また、双眼ルーペ部１５の上述の長辺方向の幅は、たとえば６０ｍｍ−６５ｍｍ程度が好適である。また、長方形の短辺方向の幅Ｘについては、１２０ｍｍとした。
【００２０】
次に、図１に加え、図２も用いて画像部１１につき説明をする。画像部１１は、中央部１３に隣接する側の短辺部分に後述する閉じ部を有し、かつ長辺方向Ｙに頁が展開する、複数の頁からなる冊子である。ここでは、冊子の中心部（閉じ部）を固定具Ａで止めて、３Ｄポストカード１０本体に固定させている。１１ａｂは、冊子状の画像部１１の、少なくとも一つの見開きの二頁の、中央部１３に隣り合う側の頁に配置されたステレオ画像（立体画像）１１ａｂである。１１ａはステレオ画像１１ａｂを構成する右目用画像１１ａであり、１１ｂは右目用画像１１ａに対し視差を伴う左目用画像である。右目用画像１１ａと左目用画像１１ｂは並置されており、それぞれの画像の幅は５０ｍｍ、高さは６５ｍｍであるものとする。
【００２１】
１２は、さらに上述の見開きの中央部１３に重なる側の頁に配置されたステレオ画像（立体画像）１１ａｂのガイドである。
ガイド１２には、ステレオ画像１１ａｂにおける案内図や案内文が記載されている（図２）。ステレオ画１１ａｂが風景画像であれば、ステレオ画像１１ａｂの目立つ建物や施設等を図示し、それらの建物名や施設名等を、図２中の符号１２ａ及び１２ｂで示すような形で掲載することができる。また、建物名等と共に、それらに対する案内文を載せることもできる。
このように画像部１１を冊子の形態をとって構成すると、ステレオ画像１１ａｂを少なくとも一枚、あるいは複数枚添付することができる。また、ステレオ画像のような立体画像だけでなく、広告用の画像を挿入することもできる。さらに、その広告自体を立体画像とすることもでき、視認者に強い印象を与えられるため、広告に対する効果も期待できる。
【００２２】
次に、ステレオ画像１１ａは、ここではヘリコプターによる空撮等で得られた俯瞰の風景画像であるものとする。例えば、地上数十ｍから百数十ｍの地点で、ヘリコプター等を用いた空撮を行う。このように、高度を有する地点から実際に撮影した画像を用いることにより、なお一層迫力のある立体画像を得ることができる。一例として、展望施設から見下ろせる風景画像を地上からの高度が同様の地点から撮影した場合、視認者が立体視する際に、展望台から風景を実際に見ているかのような臨場感を得ることができる。このような方法で撮影した画像を、例えばＰＣによる画像処理等を行うことにより、所望のステレオ画像１１ａｂを得ることができる。このときの右目用画像１１ａ及び左目用画像１１ｂは、それぞれが実際に風景を裸眼視したときと同様の視差を伴うものとする。ステレオ画像は様々な方法を用いて作成可能であり、好適な方法を選択する。
【００２３】
画像部１１に隣接する中央部１３は、長辺方向Ｙの幅Ｙ１が、ステレオ画像１１ａｂを立体視するための視認距離として設定されている。ここでは、既に述べてあるように、幅Ｙ１は７５±５ｍｍの範囲内である。
また、双眼ルーペ部１５は、中央部１３に隣接している。双眼ルーペ部１５の具体的な構成例につき、図１に加え、図３を用いて説明をする。
【００２４】
１５ａは立体視できる画像を視認させる右目用凸レンズである。また、１５ｂは、右目用凸レンズ１５ａと所定の間隔を持って配置された左目用凸レンズである。右目用凸レンズ１５ａと左目用凸レンズ１５ｂとの間隔は、たとえばレンズの中心間の距離が６０ｍｍ程度であるものとする。既に述べたように、ここでは中央部１３の長辺方向の幅Ｙ１は７５±５ｍｍの範囲内であり、画像部１１の長辺方向の幅Ｙ２は７７±１ｍｍの範囲内である。また、右目用画像１１ａと左目用画像１１ｂのそれぞれの幅は５０ｍｍ、高さは６５ｍｍである。
【００２５】
このとき、右目用凸レンズ１５ａ及び左目用凸レンズ１５ｂは、右目用画像１１ａ及び左目用画像１１ｂに対する焦点距離が上述の長辺方向の幅Ｙ１と同一となるようにする。ここでは、これら二つの凸レンズの中心厚ｔ１は４．２７ｍｍ、レンズ径φ１は２０ｍｍとした。また、二つの凸レンズは、例えば高純度樹脂ポリマーからなるものとすれば好適である。右目用凸レンズ１５ａ及び左目用凸レンズ１５ｂを以上のように構成することにより、高い透明度と広い視野を得ることができる。
【００２６】
また、１５ｃは右目用凸レンズ１５ａ及び左目用凸レンズ１５ｂを保持する、補強用のレンズホルダーである。レンズホルダー１５ｃは、二つの凸レンズの径と厚みに耐える強さを持つようにする。ここでは、例えば１．４ｍｍ程度の厚みｔ２を有する丈夫な紙で作成するものとする。また、レンズホルダー１５ｃに上述の二つの凸レンズをはめ込むために形成する、右目用凸レンズ１５ａ及び左目用凸レンズ１５ｂ用の穴１５ｄの径φ２は、２０．２ｍｍ程度とした。
【００２７】
このレンズホルダー１５ｃを、Ｂ１に示す双眼ルーペ部１５の端部に配置されるようにはめ込む。たとえば、レンズホルダー１５ｃを端部Ｂ１に配置できるように、Ｂ１と同じ長さの折りしろＢ２を設けておき、右目用凸レンズ１５ａ及び左目用凸レンズ１５ｂ用の穴１５ｅが設けられた端部Ｂ１及び折りしろＢ２にレンズホルダー１５ｃを挟み込むように設置する。右目用凸レンズ１５ａ及び左目用凸レンズ１５ｂ用の穴１５ｅの径φ３は、例えば２６ｍｍ程度であるものとする。また、レンズホルダー１５ｃを挟み込む分を考慮し、双眼ルーペ部１５の折しろＢ２は、１．５ｍｍ程度の厚みｔ３を持って端部Ｂ１に重なるように折り返されている（図３の（ｂ））。レンズホルダー１５ｃを設けたことにより、双眼ルーペ部１５の右目用凸レンズ１５ａ及び左目用凸レンズ１５ｂは強く固定され、破損しにくくなっている。
【００２８】
以上のように構成された双眼ルーペ部１５により、ステレオ画像１１ａｂの視認を補助し、その上、鮮明な画像を視認者に視認させることができる。したがって、視認者の訓練を要することなく、鮮明で、臨場感を持った迫力のある立体画像を立体視することができる。
また、図１及び図３に示すように双眼ルーペ部１５を構成すると、右目用凸レンズ１５ａ及び左目用凸レンズ１５ｂの焦点距離となる位置にステレオ画像（立体画像）１１ａｂが配置されることになり、右目用画像１１ａ及び左目用画像１１ｂと同等の大きさの、迫力ある立体画像を立体視することが出来る。したがって、鮮明で、臨場感にあふれた迫力のある立体視が最適化された３Ｄポストカード１０を得ることができる。
【００２９】
次に、動作につき図４を用いて説明する。
３Ｄポストカード１０の中央部１３の面に対し、両側の画像部１１と双眼ルーペ部１５とを、垂直方向に折り曲げる。そして視認者が、双眼ルーペ部１５の右目用凸レンズ１５ａ及び左目用凸レンズ１５ｂを通して、画像部１１の内側の曲げ面に配置されたステレオ画像１１ａｂを見る（矢印方向）。このとき、視認者は右目で右目用画像１１ａを見て、同時に左目で左目用画像１１ｂを見るようにする。この結果、二つの画像１１ａ及び１１ｂとの間に存在する視差によって、視認者が双方の画像を一つの立体画像として視認し、立体視をすることができる。このとき、視認者は、本来の右目用画像１１ａ及び左目用画像１１ｂと同等の大きさの非常に迫力のある立体画像を視認することができるため、視認者の印象や感動をより強くする効果が期待できる。
【００３０】
立体視をする際に、視認者がメガネなどを装備している場合、立体画像に対してピントが合わせ辛くなることがある。その場合、画像部１１及び双眼ルーペ部１５を、矢印Ｒで示すように動かして調節すると、鮮明な画像を得ることができる。
このような臨場感のある立体視ができる画像は、たとえば展望台を有する施設で、実際にその展望台から見える風景画像を立体画像として用意し、商品として販売すること等が考えられる。
その場合、たとえば施設を訪れた日の天気が思わしくなく、所望の眺望が得られなかった場合でも、実際はどのような眺望が得られるものであるかを体感することができる。
また、展望施設からの眺望を誰かに伝えたいときに、臨場感あふれる眺望を体感することが可能な本考案のカードを送ることもできる。
【００３１】
次に、３Ｄポストカード１０を収納袋に入れて、店頭に陳列したり、郵送したりする場合につき、図５を用いて説明をする。
２０は、３Ｄポストカード１０が収まる大きさを有する透明の収納袋である。収納袋２０は、店頭陳列用の袋兼郵送用の封筒として使用可能である。透明の収納袋２０の材料としては、たとえばＰＰ（ｐｏｌｙｐｒｏｐｙｌｅｎｅ；ポリプロピレン）等が好適である。
３Ｄポストカード１０を透明な収納袋２０に入れて、長方形に展開した形状のまま商品として店頭に陳列したり、収納袋２０を封筒として用いて郵送したりすると、３Ｄポストカード２０がそのままの状態で外部から見えているため、消費者が商品としての機能を瞬時に判断しやすく、また、見た者に強い印象を与えることが期待できる。したがって、消費者の購入意欲の促進や、３Ｄポストカード１０を受け取る側に対して大きな驚きや感動を与えたりする可能性を期待することができる。
【００３２】
次に、２０ａは収納袋２０を郵送用の封筒として使用したときのフラップ部分である。また、２０ｂは郵送用の宛名書シールである。３Ｄポストカード１０を収納済みの封筒において、フラップ部分２０ａと、右目用凸レンズ１５ａ及び左目用凸レンズ１５ｂとを覆う位置に、郵送用の宛名書シール２０ｂを張る。すなわち、双眼ルーペ部１５の二つの凸レンズ１５ａ及び１５ｂと、収納袋２０のフラップ部分２０ａとのどちらも同時に覆うことができるように、上述の宛名書シール２０ｂを張るようにする。このため、封筒のフラップ部分２０ａや上述の二つの凸レンズ１５ａ及び１５ｂを保護することができ、郵送中のレンズの欠損やフラップ部分のはがれ等を防ぐことができる。収納袋２０を封筒として３Ｄポストカード１０のみを郵送する場合、定型郵便物の最大サイズ内の、重さ５０ｇまでに相当する料金で郵送することが可能である。
【００３３】
上述した実施の形態からも明らかなように、本考案の３Ｄポストカードは、風景画像等の実写画像において、実像に近い迫力を持った立体視が可能であり、さらに、近距離からでも臨場感にあふれた迫力のある立体視を行うことが可能である。また、視認者の訓練を必要とせず、鮮明な立体画像の視認を容易に行うことができる３Ｄポストカードを得ることができる。
【００３４】
本考案は上述の実施の形態に限定されないことは明らかである。たとえば、３Ｄポストカード１０は、私製ハガキの規格に収まる最大の大きさに近い大きさであるものとした。このため、配置する立体画像も可能な限り大きいものとすることができるが、需要に応じて、これよりも小さい３Ｄポストカードとすることもできる。その場合、立体画像の大きさや、立体画像に対する双眼ルーペ部の凸レンズの焦点距離等を考慮し、好適な組み合わせとする。
また、図示していないが、３Ｄポストカードの外側、たとえば画像部１１及び双眼ルーペ部１５を曲げる方向とは違う面の中央部１３を、一筆文等を添付する面として利用することもできる。
その他、考案の主旨を逸脱しない範囲で種々好適な他の形態への変更が可能である。
【符号の説明】
【００３５】
１０  ３Ｄポストカード、１１  画像部、１１ａｂ  ステレオ画像（立体画像、立体視ができる画像）、１１ａ  右目用画像、１１ｂ  左目用画像、  １２（１２ａ、１２ｂ）  ガイド、１３  中央部、１５  双眼ルーペ部、１５ａ  右目用凸レンズ、１５ｂ  左目用凸レンズ、１５ｃレンズホルダー、１５ｄ  （レンズホルダーの）右目用凸レンズ及び左目用凸レンズ用の穴、１５ｅ  （双眼ルーペ部の端部の）右目用凸レンズ及び左目用凸レンズ用の穴、２０  収納袋、２０ａ  フラップ部分、２０ｂ  宛名書用シール、Ｘ  長方形の短辺方向の幅、Ｙ  長方形の長辺方向の幅、Ｙ１,Ｙ２  長方形のＹ方向の幅、Ｂ１  双眼ルーペ部の端部、Ｂ２  折りしろ、φ１  レンズ径、φ２  （レンズホルダーの）右目用凸レンズ及び左目用凸レンズ用の穴の径、φ３  （双眼ルーペ部の端部の）右目用凸レンズ及び左目用凸レンズ用の穴の径、ｔ１  （レンズの）厚み、ｔ２  （レンズホルダーの）厚み、ｔ３  （双眼ルーペ部の端部の）厚み。
【図１】
0003170754.tif 000003
【図２】
0003170754.tif 000004
【図３】
0003170754.tif 000005
【図４】
0003170754.tif 000006
【図５】
0003170754.tif 000007